(57)【要約】【課題】  洗面台及び流し台は、水槽下の給水管と給湯管と排水管とが並列に配管されているので、排水管に接続する排水トラップは、給水管及び給湯管の前方に突出して、水槽下の空間を広く確保することが困難であった。【解決手段】  水槽下の給水管と給湯管と排水管とを配管した洗面台及び流し台等において、その排水管に接続される排水トラップが、前記給水管及び給湯管間にあって、その側方部分は、前記給水管及び給湯管とこれら後方の壁面との間に収まる形態である薄型排水トラップである。【選択図】図１
2010209659.tif 000002
【特許請求の範囲】
【請求項１】
水槽下の給水管と給湯管と排水管とを配管した洗面台及び流し台等において、その排水管に接続される排水トラップが、前記給水管及び給湯管間にあって、その側方部分は、前記給水管及び給湯管とこれら後方の壁面との間に収まる形態であることを特徴とする薄型排水トラップ。
【請求項２】
排水トラップが排水トラップ本体と、排水管に接続される流入管と流出管とでなり、流入管と流出管とが同一軸心上にあることを特徴とする請求項１記載の薄型排水トラップ。
【請求項３】
エルボを一体化した流入管が具備されることを特徴とする請求項１乃至２のいずれか１項記載の薄型排水トラップ。
【請求項４】
給水管及び給湯管とこれら後方の壁面との間に収められた排水トラップの側方部分の中心が、流入管及び流出管の軸心より後壁面側へ偏っていることを特徴とする請求項１乃至３のいずれか１項記載の薄型排水トラップ。
【請求項５】
排水トラップ本体が、湧上り流路である中間部分と、その両側方部分とで構成され、該中間部分を盛上らせ、膨らむ形態とすることを特徴とする請求項４記載の薄型排水トラップ。
【請求項６】
屈曲Ｓ字型流路でなる排水トラップの屈曲Ｓ字型流路中の水底面にドレン抜きが設けられることを特徴とする請求項１乃至５のいずれか１項記載の薄型排水トラップ。
【発明の詳細な説明】
【技術分野】
【０００１】  本発明は、水槽下の給水管と給湯管と排水管とが配管された洗面台及び流し台等において、その排水管に接続される排水トラップに関するものである。
【背景技術】
【０００２】  従来より、洗面台及び流し台等は、水槽下の給水管と給湯管とより前方に、排水管が並列に配管されているものが一般的であった。そして、場合によっては、この洗面台及び流し台等をキャビネット化したものであった。
ところで、水槽下の収納を拡大するため、その空間が出来るだけ広く確保できるように試み、多々考慮している。
【先行技術文献】
【０００３】
【特許文献】
【特許文献】  キャビネット内部の収納量を増大させるため、キャビネットを形成する内壁面に凹部が設けられ、該凹部に排水トラップを配置した洗面台が知られている（特許文献１）。
【０００４】  また、水槽下の空間を広く確保するために、その背板に組込まれた壁裏の隙間に排水トラップが設置され、該排水トラップは、排水トラップ本体と、それに接続して床下へ延びる長さ調整のできる管体とでなり、背板の壁裏の隙間に設置できるよう断面楕円型の流路面とした洗面台が知られている。
そして、この洗面台は、壁裏の隙間に設置された排水トラップの上方には、背板を貫通して前方へ突出させ、水槽の排水口へ接続する排水管につなげる継手が設けられ、よって、洗面台の高さに合わせた複数種類の排水トラップを用意する必要がなく、床下へ延びる管体を切断するのみで、設置取付け調整をすることができるものである（特許文献２）。【０００５】  更に、キャビネットが、キャビネット部と、該キャビネット部下に袴部とを備えたものであって、該キャビネット部内の空間を広げるため、前記袴部に排水トラップを配置させる洗面台が知られている（特許文献３）。【０００６】
【特許文献１】  特開２００１−１１５５２０
【特許文献２】  特開２００８−２９１４５６
【特許文献３】  特開２００２−１６７８３２
【発明の概要】
【発明が解決しようとする課題】
【０００７】  キャビネットの内壁面に排水トラップが配置される凹部を設けた洗面台は、収納物の出し入れに排水トラップへの衝突がなく、一応、収納量の増大をできたかに見えが、内壁面に排水トラップの配置できる凹部の成形をしなければならない点と、該排水トラップを排水ボウルの排水口へ接続する排水管の継手、及び床下へ接続する排水管の継手の構造が複雑になり、且つ継手のための施工に時間と労力とを要し、まして、給水管及び給湯管までの接続施工となると、複雑困難とするという不都合さがある。また、凹部に排水トラップが配置されるため、該排水トラップの流路が狭くなり、詰まりの原因となる。【０００８】  そして、背板に組込まれた壁裏の隙間に断面楕円型の流路面となる排水トラップが設置された洗面台は、充分な排水の流れを得るためには、排水トラップの占める壁裏のそれなりの隙間のスペースを要し、更に、給水管及び給湯管の配置施工となると、構造が複雑化し、施工困難となる。
排水トラップが、狭い壁裏の隙間に配置されることは、詰まりの発生や、その際のメンテナンスも困難とする。
そして、水漏れしない、構造簡単で施工容易とする排水トラップを得るには、構造を簡単にしてシンプルにすることであるが、これに反するものとなって不都合である。【０００９】  また、キャビネット部と、該キャビネット部下の袴部とを備えたキャビネットにおいて、その袴部に排水トラップを配置する洗面台は、排水トラップが袴部に納められて、一見、収納に障害物がなく、収納量を増したかに見えるが、給水管及び給湯管の配設に考慮がなく、所詮、これら給水管及び給湯管の配管で空間が狭められることになって、所期の目的が達成できないことになる。そして、リフォーム等、屋内にある床排水管の位置ズレによる対応が困難となる。
【課題を解決するための手段】
【００１０】  本発明の薄型排水トラップは、水槽下の給水管と給湯管と排水管とを配管した洗面台及び流し台等において、その排水管に接続される排水トラップが前記給水管及び給湯管間にあって、その側方部分は、前記給水管及び給湯管とこれら後方の壁面との間に収まる形態のものである。【００１１】  本発明の薄型排水トラップは、排水トラップ本体と、排水管に接続される排水トラップの流入管と流出管とでなり、流入管と流出管とが同一軸心上にあるものである。【００１２】  本発明の薄型排水トラップは、エルボを一体化した流入管が具備されるものである。【００１３】  本発明の薄型排水トラップは、給水管及び給湯管とこれら後方の壁面との間に収められた排水トラップの側方部分の中心が、流入管及び流出管の軸心より後壁面側へ偏っているものである。【００１４】  本発明の薄型排水トラップは、排水トラップ本体が湧上り流路である中間部分と、その両側方部分とで構成され、該中間部分を盛上らせ、膨らむ形態とするものである。【００１５】  本発明の薄型排水トラップは、屈曲Ｓ字型流路でなる排水トラップの屈曲Ｓ字型流路中の水底面にドレン抜きが設けられるものである。
【発明の効果】
【００１６】  本発明は、排水管に接続される排水トラップが給水管及び給湯管間にあって、その側方部分を給水管及び給湯管と後方の壁面との間に収まる形態となっているので、施工配管時に、給水管、給湯管の位置に多少の偏りがあっても、給水管、給湯管より後方へ、排水トラップを収めることが出来、必然的に要する給水管、給湯管の配管位置より前方に位置されることがなく、水槽下の収納空間を最大に設けることができる。
また、給水管、給湯管及び排水管の配管に必要以上の屈曲、延伸をすることがなく、シンプルの配管構造にして、簡単且つ容易の施工配管をすることができる。
なお、給湯管による火傷防止の為に、給水管及び給湯管前面に遮蔽壁を形成すれば、排水管をも含めて、これらの目隠しをすることができることになる。【００１７】  本発明は、排水管に接続される排水トラップの流入管と流出管とが同一軸心上にあることによって、排水トラップの排水管への接続を、位置決めが簡単且つ容易にでき、困難なくできる。また、一般の断面円形の排水管に、断面円形の排水トラップの流入管及び流出管への対応をすることができることになる。【００１８】  本発明は、エルボを一体化した流入管が具備されることによって、屈曲して接続するために用いられるエルボを不用とし、接続施工が簡単かつ容易にし、エルボの占めていたスペースを省くことができ、水槽下の空間を一層広く確保することができる。そして、構成する部品の点数を削減できる。【００１９】  本発明の給水管及び給湯管と、これら後方の壁面との間に収められる排水トラップの側方部分の中心が、流入管及び流出管の軸心より後壁面側へ偏っている排水トラップは、これら二つ割成形時に、型を容易に得ることができ、また、施工時に、排水トラップの据わりが安定して良く、更に、形よい成形仕上がりができ、排水時に、滑らかな流れがされるようにできる。【００２０】  本発明の湧上り流路である中間部分を盛上らせ、膨らむ形態の排水トラップ本体は、流路断面を大きくすることになって、サイホン現象による封水切れを防止することができる。【００２１】  本発明の屈曲Ｓ字型流路中の水底面にドレン抜きが設けられる排水トラップは、一番妥当の位置であり、機能を充分に発揮することができることになる。
【図面の簡単な説明】
【００２２】
【図１】  本発明の流入管と流出管とを同一軸心上とする薄型排水トラップが洗面台及び流し台等に配置される、その状態を、従来の排水トラップ配置状態と比較した説明図である。
【図２】  本発明の流入管と流出管とを同一軸心とする薄型排水トラップにおける給水管及び給湯管との配置関係を示す説明図である。
【図３】  本発明の流入管と流出管とを同一軸心上とする薄型排水トラップの側面図である。
【図４】  本発明の流入管と流水管とを同一軸心上とする薄型排水トラップの横断面図である。
【図５】  本発明の流入管と流出管とを同一軸心上とする薄型排水トラップの縦断面図である。
【図６】  本発明の流入管と流出管とを同一軸心上とする薄型排水トラップの上視図である。
【図７】  本発明第２実施例のエルボが一体化される流入管を具備した薄型排水トラップが洗面台及び流し台等に配置されるその状態を、従来の排水トラップ配置状態と比較した説明図である。
【図８】  本発明第２実施例のエルボが一体化される流入管を具備した薄型排水トラップにおける給水管及び給湯管との配置関係を示す説明図である。
【図９】  本発明第２実施例における薄型排水トラップ側面図である。
【図１０】  本発明第２実施例における薄型排水トラップの横断面図である。
【図１１】  本発明第２実施例における薄型排水トラップの縦断面図である。
【図１２】  本発明第２実施例における薄型排水トラップの上視図である。
【発明を実施するための形態】
【実施例１】
【００２３】  本発明の薄型排水トラップＡは、図１及び図２に示す如く、水槽Ｃ下の給水管Ｄと給湯管Ｅとの間、前方に排水管Ｆを配管した洗面台及び流し台Ｇにおいて、その排水管Ｆに接続される薄型排水トラップＡが、前記給水管Ｄ及び給湯管Ｅ間にあって、排水トラップ本体１と、流入管２と、流出管３とから形成され、該排水トラップ本体１の側方部分１１，１２は、前記給水管Ｄ及び給湯管Ｅと、これら後方の壁面Ｈと間に収まる形態のものである。そして、水槽Ｃ下の空間を広く確保することができる。
給水管Ｄと給湯管Ｅと間、前方に配管された排水管Ｆに、何の配慮もされずに接続する従来の排水トラップＸは、給水管Ｄ及び給湯管Ｅより前方に突出することになり、水槽Ｃ下の空間が狭くなり、収納量を少なくする。そして、収納物が排水トラップＸに衝突して水漏れなどの支障を来たすこともなりかねなかった。
それに対して、本発明の薄型排水トラップＡは、後方の壁面Ｈと、給水管Ｄ及び給湯管Ｅと間に収まる状態にするために、水槽Ｃ下の空間を広げることができることになる。
なお、給湯管Ｅによる火傷を防止することが望まれるならば、その給湯管Ｅ及び給水管Ｄ、そして、薄型排水トラップを含めて、遮蔽壁が補われればよいことになる。【００２４】  排水トラップ本体１は、図３、図４、図５、及び図６で示す如く、流入管２及び流出管３へ接続する屈曲Ｓ字型流路が形成され、該流路に水底面１１１及び水底面頂部（ディプ）１１２、そしてあふれ面頂部（クラウン）１１３及びあふれ面（ウェア）１１４が設けられ、その排水トラップ本体の側方部分１１，１２は、その中心が、流入管２及び流出管３の軸心より後壁面Ｈ側へ偏らせており、結局、湧上り流路となる中間部分５３が盛上がり膨らむ形態となる。よって、湧上り流路部分の断面を大きくすることになって、サイフォン現象による封水切れを防止することになる。そして、側方部分を偏らせて薄くすることによって、該排水トラップ本体１の安定した取付け施工を簡単、且つ容易にすることができる。
排水トラップ本体１の水底面１１１には、沈殿物を清掃するためのドレン抜き４が設けられている。
【実施例２】
【００２５】  本発明の薄型排水トラップＢは、図７及び図８に示す如く、水槽Ｃ下の給水管Ｄと給湯管Ｅとの間、前方に排水管Ｆを形成した洗面台及び流し台Ｇにおいて、その排水管Ｆに接続される薄型排水トラップＢが前記給水管Ｄ及び給湯管Ｅとの間にあって、排水トラップ本体５と、流入管６と、流出管７とで形成され、該排水トラップ本体５の側方部分５１、５２は、前記給水管Ｄ及び給等管Ｅと、これら後方の壁面Ｈと間に収まるような形態が形成される。
そして、本発明の薄型排水トラップＢは、給水管Ｄと給湯管Ｅの間、前方に配管された排水管Ｆの真上に接続された従来の排水トラップＸが給水管Ｄ及び給湯管Ｅより突出させて水槽Ｃ下の空間を狭めているのに対し、水槽Ｃ下の空間を広くすることができる。【００２６】  排水トラップ本体５は、図８、図９、図１０、図１１、及び図１２に示す如く、屈曲Ｓ字型流路が形成され、排水管Ｆに接続する流入管６及び流出管７を設け、排水トラップ本体５の側方部分５１，５２は、その中心が流入管６及び流出管７の軸心より後壁面Ｈ側へ偏り、中間部分５３が盛上り膨らんだ形態とする。
よって、薄型排水トラップＢの二つ割れ成形に効果があり、且つ安定した取付け施工を簡単に、しかも容易にすることができる。
更に、流入管６は、エルボを一体化したものであるので、水槽Ｃへの屈曲配管施工にエルボが不用となり、その分、部品点数を減らすことができると共に、これが占めていたスペースが狭められて、結局は、水槽Ｃ下の空間を一層広くすることができることになる。
なお、図中、８は、ドレン抜きである。
【符号の説明】
【００２７】Ａ        薄型排水トラップ
Ｂ        薄型排水トラップ
Ｃ        水槽
Ｄ        給水管
Ｅ        給湯管
Ｆ        排水管
Ｇ        洗面台及び流し台
Ｈ        壁面
Ｘ        従来の排水トラップ
１        排水トラップ本体
１１      側方部分
１２      側方部分
１１１    水底面
１１２    水底面頂部（ディプ）
１１３    あふれ面頂部（クラウン）
１１４    あふれ面（ウェア）
２        流入管
３        流出管
４        ドレン抜き
５        排水トラップ本体
５１      側方部分
５２      側方部分
５３      中間部分
６        流入管
７        流出管
８        ドレン抜き
【図１】
2010209659.tif 000003
【図２】
2010209659.tif 000004
【図３】
2010209659.tif 000005
【図４】
2010209659.tif 000006
【図５】
2010209659.tif 000007
【図６】
2010209659.tif 000008
【図７】
2010209659.tif 000009
【図８】
2010209659.tif 000010
【図９】
2010209659.tif 000011
【図１０】
2010209659.tif 000012
【図１１】
2010209659.tif 000013
【図１２】
2010209659.tif 000014